(57)【要約】【課題】  経年変化に伴う支持脚のへたりによる圧縮機の傾きを抑え、低振動、高信頼性な、アキュムレータを備えた圧縮機を提供することを目的とする。【解決手段】  複数個の支持脚５のうち、アキュムレータ２にもっとも近い支持脚５ａのみの強度を高くしたものである。これにより、脚取り付け部材３の孔４の重心の平面座標Ｂと、アキュムレータを備えた圧縮機の重心の平面座標Ａとがずれることにより、アキュムレータ２にもっとも近い支持脚５ａにもっとも荷重が作用しても、その強度を高くしているので、支持脚のへたりによる圧縮機の傾きを抑えることができる。【選択図】  図１
2005061350.tif 000002
【特許請求の範囲】
【請求項１】
密閉容器の側面に、この密閉容器と接続されたアキュムレータを備えた圧縮機において、前記密閉容器の下部周辺に、支持脚を取り付けるための複数個の孔を有する脚取り付け部材を備え、前記おのおのの孔に支持脚を取り付けるとともに、前記支持脚のうち、前記アキュムレータに近い少なくとも１つの強度を、他の支持脚の強度より高くしたことを特徴とする、アキュムレータを備えた圧縮機。
【請求項２】
アキュムレータに近い少なくとも１つの支持脚の材料の弾性係数を、他の支持脚の材料の弾性係数より高くしたことを特徴とする、請求項１記載の、アキュムレータを備えた圧縮機。
【請求項３】
アキュムレータに近い少なくとも１つの支持脚の径を、他の支持脚の径より大きくしたことを特徴とする、請求項１記載の、アキュムレータを備えた圧縮機。
【発明の詳細な説明】
【技術分野】
【０００１】
本発明は、空調機器などに用いられるアキュムレータを備えた圧縮機に関するものである。
【背景技術】
【０００２】
従来の圧縮機、特に、この圧縮機の密閉容器内部がおおむね吐出ガスで満たされる、いわゆる高圧型圧縮機には、一般的に吸入側にアキュムレータが備えられている。このアキュムレータは、圧縮機に接続される冷凍サイクルの運転条件等により、多量の液冷媒が吸入側に戻ったような場合でも、気液分離作用により、圧縮機には気体冷媒のみ吸入させるためのものである。これにより、液冷媒の圧縮による異常音の発生や、圧縮機内部の部品の破損などによる信頼性低下を防いでいる。
【０００３】
また、密閉容器の下部周辺に、複数個の孔を有する脚取り付け部材、もしくは、１個以上の孔を有する複数個の脚取り付け部材が備えられており、これらおのおのの孔に、弾性部材からなる支持脚を取り付け、圧縮機を支持している。
【０００４】
この種の代表的な圧縮機を、図３に示す（例えば、特許文献１参照）。
【０００５】
図３において、密閉容器１の側面に、この密閉容器１と接続されたアキュムレータ２と、前記密閉容器１の下部周辺に脚取り付け部材３とが備えられている。
【０００６】
前記脚取り付け部材３はおおむね正三角形の形状をしており、その各角部付近には、孔４がそれぞれ設けられいる。そして、これらおのおのの孔４には、弾性部材からなる支持脚５が取り付けられている。
【０００７】
上記構成により、アキュムレータ２の入口管６から流入した冷媒ガスは、このアキュムレータ２を介して、密閉容器１の内部に設けられた圧縮機構部（図示せず）によって圧縮された後、一旦、密閉容器１内部に吐出され、密閉容器１に設けられた吐出管７から吐出される。
【０００８】
また、圧縮機を支持脚５で支持することにより、運転中の振動を吸収、減衰させ、圧縮機が接続される冷凍サイクル（図示せず）への振動の伝達を低減している。
【特許文献１】特開２０００−２９１９８２号公報（第４頁、図１）
【発明の開示】
【発明が解決しようとする課題】
【０００９】
しかしながら、上記従来の構成において、比較的大きなアキュムレータが取り付けられる場合では、図１に示すように、圧縮機の重心Ａの作用線と、脚取り付け部材に設けられた複数個の孔の重心Ｂとがずれるため、モーメントが作用し、わずかながら圧縮機が傾く場合があった。特に、圧縮機の押し除け容積が比較的大きな場合では、接続される冷凍サイクルの冷凍能力も大きく、冷凍サイクルに封入される冷媒ガスの量も一般的に増やす必要があるため、大きなアキュムレータを用いる場合が多い。
【００１０】
上記のような状態では、脚取り付け部材３のそれぞれの孔４に取り付けられた支持脚５のうち、アキュムレータ２にもっとも近い支持脚５ａにもっとも大きな荷重が作用することになる。この場合、比較的初期の間は、圧縮機の傾きも小さい場合がほとんどであるが
、支持脚５は、ゴムやバネなど、あるいはこれらを組み合わせた弾性部材からなっており、経年変化により、アキュムレータ２に近い支持脚５ａだけが大きくへたる可能性があった。
【００１１】
その結果、圧縮機の傾きが増大し、圧縮機が搭載される冷凍サイクルの他の部分に当たり、運転中に異常音が発生する可能性がしたり、また、圧縮機が接続される配管に異常な応力が作用し、場合によっては配管が疲労破壊を起こし、冷媒ガスが漏れるといった可能性があった。
【００１２】
本発明はこのような従来の課題を解決するものであり、経年変化に伴う支持脚のへたりによる圧縮機の傾きを抑え、低振動、高信頼性な圧縮機を提供することを目的とする。
【課題を解決するための手段】
【００１３】
上記課題を解決するために本発明は、複数個の支持脚のうち、アキュムレータに近い少なくとも１つの強度を、他の支持脚の強度より高くしたものである。
【００１４】
上記構成により、脚取り付け部材に設けられた複数個の孔の重心の平面座標と、アキュムレータを備えた圧縮機の重心の平面座標がずれることによって、アキュムレータにもっとも近い支持脚にもっとも荷重が作用しても、その強度を高くしているので、支持脚のへたりによる圧縮機の傾きを抑えることができる。
【発明の効果】
【００１５】
本発明によれば、複数個の支持脚のうち、アキュムレータに近い少なくとも１つの強度を、他の支持脚の強度より高くしているので、脚取り付け部材に設けられた複数個の孔の重心の平面座標と、アキュムレータを備えた圧縮機の重心の平面座標がずれることによって、アキュムレータにもっとも近い支持脚にもっとも荷重が作用しても、支持脚のへたりによる圧縮機の傾きを抑えることができる。従って、例え、支持脚が経年変化によりへたるようなことがあっても、圧縮機の傾きを抑えることができる。
【００１６】
以上説明した通り、本発明により、長期間の使用においても支持脚のへたりによって圧縮機が傾くことはほとんどなく、低振動、高信頼性な圧縮機を得ることができる。
【発明を実施するための最良の形態】
【００１７】
以下本発明の実施の形態について図面を参照して説明する。
【００１８】
（実施の形態１）
図１は、本発明の実施の形態１におけるアキュムレータを備えた圧縮機の上面図および正面図である。図１において、前記従来の技術と同じ構成要素については、同一の符号を用い、その説明を省略する。
【００１９】
図１において、複数個の支持脚５のうち、アキュムレータ２に最も近い支持脚５ａの材料の弾性係数を、他の支持脚の材料の弾性係数より高くしている。
【００２０】
上記構成により、脚取り付け部材に設けられた複数個の孔の重心Ｂの平面座標と、アキュムレータを備えた圧縮機の重心Ａの平面座標がずれることによって、アキュムレータにもっとも近い支持脚５ａにもっとも荷重が作用しても、その材料の弾性係数を他の支持脚の材料の弾性係数よりも高くしているので、支持脚のへたりによる圧縮機の傾きを抑えることができる。
【００２１】
（実施の形態２）
図２は、本発明の実施の形態２におけるアキュムレータを備えた圧縮機の上面図および正面図である。図２において、前記従来の技術と同じ構成要素については、同一の符号を用い、その説明を省略する。
【００２２】
図２において、複数個の支持脚５のうち、前記アキュムレータ２に最も近い支持脚５ａの径を、他の支持脚の径より高くしている。
【００２３】
上記構成により、脚取り付け部材に設けられた複数個の孔の重心Ｂの平面座標と、アキュムレータを備えた圧縮機の重心Ａの平面座標がずれることによって、アキュムレータにもっとも近い支持脚５ａにもっとも荷重が作用しても、その径を他の支持脚の径よりも高くしているため強度が高くなるので、支持脚のへたりによる圧縮機の傾きを抑えることができる。
【００２４】
なお、上記実施の形態では、いずれも複数個の孔を有する１個の脚取り付け部材の場合で説明したが、脚取り付け部材を、１個以上の孔を有する複数個の脚取り付け部材とした場合でも同様の作用、効果を得ることができる。
【００２５】
また、上記実施の形態では、いづれも支持脚が３個の場合で説明したが、４個以上の場合でも同様の作用、効果を得ることができる。
【００２６】
また、上記実施の形態では、密閉用器が縦置きの場合で説明したが、横置きのアキュムレータを備えた圧縮機において、例えば、脚取り付け部材におのおの２個の孔を有する脚取り付け部材を２箇所に設けたような場合でも、アキュムレータに近い側の複数個の支持脚の強度を、他の支持脚の強度よりも高くすることで同様の作用、効果を得ることができる。
【００２７】
また、上記実施の形態では、いずれも、アキュムレータに最も近い１個の支持脚の強度を高くした場合で説明したが、脚取り付け部材に設けられた複数個の孔の重心Ｂの平面座標と、アキュムレータを備えた圧縮機の重心Ａの平面座標のずれの大きさに応じて、アキュムレータにより近い２個以上の支持脚の強度を高くした場合でも同様の作用、効果を得ることができる。
【産業上の利用可能性】
【００２８】
以上のように、本発明にかかる圧縮機によれば、長期間の使用においても支持脚のへたりによって圧縮機が傾くことはほとんどなく、低振動、高信頼性な圧縮機を得ることができるので、空気調和装置や冷蔵庫など冷凍機器等の用途に適用することができる。
【図面の簡単な説明】
【００２９】
【図１】本発明の第１の実施形態を示すアキュムレータを備えた圧縮機の上面図および正面図
【図２】本発明の第２の実施形態を示すアキュムレータを備えた圧縮機の上面図および正面図
【図３】従来のアキュムレータを備えた圧縮機の斜視図
【符号の説明】
【００３０】
１  密閉容器
２  アキュムレータ
３  脚取り付け部材
４  孔
５  支持脚
５ａ  アキュムレータにもっとも近い支持脚
６  吸入管
７  吐出管
【図１】
2005061350.tif 000003
【図２】
2005061350.tif 000004
【図３】
2005061350.tif 000005